(57)【要約】【課題】宣伝広告の効果を容易に高めるものとする。【解決手段】広告信号ＤＣＭを放送装置２１に供給して放送番組の信号とともに送信する。受信装置３１は、受信信号から広告の信号を検出して記録し、この広告を特定する特定情報ＲＰｃを生成しサーバ４１に供給する。サーバ４１は、参照広告信号ＤＣＭｒの宣伝広告の参照特定情報を関連情報と関係付けて保持する。供給された特定情報ＲＰｃと等しい参照特定情報に関係づけた関連情報を応答信号Ｄｓｃとして受信装置３１に供給する。報奨の付与の設定がなされた広告は、関連情報に報奨識別情報を含める。受信装置３１は、関連情報を広告毎に提示し、報奨識別情報を含むときは報奨の付与の設定を判別可能に提示する。報奨の付与の設定された広告の視聴履歴ＲＰｒが条件を満たすとき、報奨を付与を行う報奨付与信号Ｄｉｎｃをサーバ４１からメモリ３５に供給する。関連情報の提示や報奨の付与によって宣伝効果を高められる。【選択図】        図１
2004336653.tif 000002
【特許請求の範囲】
【請求項１】
受信者選択コンテンツに前記受信者選択コンテンツと異なる１あるいは複数の挿入コンテンツが時分割的に設けられている信号を受信し、前記受信者選択コンテンツあるいは前記挿入コンテンツの提示処理を行う受信装置と、関連情報を保持する情報蓄積装置とが、伝送路を介して接続された信号処理システムにおいて、
前記受信装置は、
前記挿入コンテンツの信号を検出して、該検出した信号の挿入コンテンツを特定する特定情報を挿入コンテンツ毎に生成する検出処理手段と、
少なくとも前記検出した挿入コンテンツの信号を記録する記録手段と、
前記特定情報を前記情報蓄積装置に供給して、該特定情報に対応する関連情報を前記情報蓄積装置から取得し、取得した前記関連情報を前記挿入コンテンツ毎に提示する処理を行う制御手段を有し、
前記情報蓄積装置は、
参照挿入コンテンツを特定する参照特定情報と該参照挿入コンテンツに対する関連情報を関係付けて、前記参照挿入コンテンツ毎に保持する情報蓄積手段と、前記参照特定情報と前記受信装置から供給された特定情報とを比較して、前記受信装置に記録されている挿入コンテンツと内容の等しい参照挿入コンテンツを検出し、該検出した参照挿入コンテンツに関連付けられている前記関連情報を前記受信装置に供給する応答処理手段とを有する
ことを特徴とする信号処理システム。
【請求項２】
前記制御手段は、前記関連情報が提示された挿入コンテンツの何れかが選択されたとき、該選択された挿入コンテンツの信号を前記記録手段から読み出して、挿入コンテンツの提示処理を行う
ことを特徴とする請求項１記載の信号処理システム。
【請求項３】
前記情報蓄積手段は、報奨の付与の設定がなされた前記参照挿入コンテンツに対する関連情報に報奨識別情報を含めるものとし、
前記制御手段は、前記関連情報に前記報奨識別情報が含まれているとき、前記関連情報を前記挿入コンテンツ毎に提示する際に、前記報奨の付与の設定がなされていることを判別可能に提示する
ことを特徴とする請求項１記載の信号処理システム。
【請求項４】
前記制御手段は、前記関連情報に前記報奨識別情報が含まれた挿入コンテンツの視聴履歴情報を生成して前記情報蓄積装置に供給し、
前記応答処理手段は、供給された前記視聴履歴情報が報奨付与要件を満たすとき、報奨を得るための報奨付与信号を前記受信装置に供給する
ことを特徴とする請求項３記載の信号処理システム。
【請求項５】
前記受信装置は、可搬型記憶手段を有し、前記情報蓄積装置から供給された報奨付与信号を前記可搬型記憶手段に記憶させる
ことを特徴とする請求項４記載の信号処理システム。
【請求項６】
前記応答処理手段は、報奨の付与の予定を示す告知情報を前記受信装置に供給し、
前記制御手段は、取得した前記告知情報を提示する処理を行う
ことを特徴とする請求項１記載の信号処理システム。
【請求項７】
前記応答処理手段は、報奨の付与の設定がなされた前記挿入コンテンツの送信予定情報を含む記録予約情報を前記受信装置に供給し、
前記制御手段は、前記記録予約情報を用いて前記報奨の付与の設定がなされた挿入コンテンツの信号を前記記録手段に記録する
ことを特徴とする請求項１記載の信号処理システム。
【請求項８】
受信者選択コンテンツに前記受信者選択コンテンツと異なる１あるいは複数の挿入コンテンツが時分割的に設けられている信号を受信し、前記受信者選択コンテンツあるいは前記挿入コンテンツの提示処理を行う受信装置において、
前記挿入コンテンツの信号を検出して、該検出した信号の挿入コンテンツを特定する特定情報を挿入コンテンツ毎に生成する検出処理手段と、
少なくとも前記検出した挿入コンテンツの信号を記録する記録手段と、
前記特定情報を出力して該特定情報に対応する関連情報の取得を行い、取得した前記関連情報を前記挿入コンテンツ毎に提示する処理を行う制御手段を有することを特徴とする受信装置。
【請求項９】
前記制御手段は、前記関連情報が提示された挿入コンテンツの何れかが選択されたとき、該選択された挿入コンテンツの信号を前記記録手段から読み出して、挿入コンテンツの提示処理を行う
ことを特徴とする請求項８記載の受信装置。
【請求項１０】
前記制御手段は、前記関連情報に報奨の付与の設定がなされていることを示す報奨識別情報が含まれているとき、前記関連情報を前記挿入コンテンツ毎に提示する際に、前記報奨の付与の設定がなされていることを判別可能に提示する
ことを特徴とする請求項８記載の受信装置。
【請求項１１】
前記制御手段は、前記関連情報に前記報奨識別情報が含まれた挿入コンテンツの視聴履歴情報を生成して出力することにより、前記報奨を得るための報奨付与信号の要求を行う
ことを特徴とする請求項１０記載の受信装置。
【請求項１２】
可搬型記憶手段を有し、
取得した前記報奨付与信号を前記可搬型記憶手段に記憶する
ことを特徴とする請求項１１記載の受信装置。
【請求項１３】
前記制御手段は、報奨の付与の予定を示す告知情報を取得したとき、該告知情報を提示する処理を行う
ことを特徴とする請求項８記載の受信装置。
【請求項１４】
参照挿入コンテンツを特定する参照特定情報と該参照挿入コンテンツに対する関連情報を関係付けて、前記参照挿入コンテンツ毎に保持する情報蓄積手段と、
挿入コンテンツを特定する特定情報が供給されたとき、該特定情報と前記参照特定情報とを比較して、前記挿入コンテンツと内容の等しい参照挿入コンテンツを検出し、該検出した参照挿入コンテンツに関連付けられている前記関連情報を前記特定情報の供給元に出力する応答処理手段とを有する
ことを特徴とする情報蓄積装置。
【請求項１５】
報奨の付与の設定がなされた前記参照挿入コンテンツに対する関連情報に報奨識別情報を含める
ことを特徴とする請求項１４記載の情報蓄積装置。
【請求項１６】
前記応答処理手段は、前記関連情報に報奨識別情報が含まれた挿入コンテンツの視聴履歴情報が供給された場合、該視聴履歴情報が報奨付与要件を満たすとき、前記視聴履歴情報の供給元に前記報奨を得るための前記報奨付与信号を供給する
ことを特徴とする請求項１５記載の情報蓄積装置。
【請求項１７】
前記応答処理手段は、報奨の付与の予定を示す告知情報を出力する
ことを特徴とする請求項１４記載の情報蓄積装置。
【請求項１８】
前記応答処理手段は、報奨の付与の設定がなされた挿入コンテンツの送信予定情報を含む記録予約情報を出力する
ことを特徴とする請求項１４記載の情報蓄積装置。
【請求項１９】
受信者選択コンテンツに前記受信者選択コンテンツと異なる１あるいは複数の挿入コンテンツが時分割的に設けられている信号を受信する工程と、
前記挿入コンテンツの信号を検出して、該検出した信号の挿入コンテンツを特定する特定情報を挿入コンテンツ毎に生成する工程と、
少なくとも前記検出した挿入コンテンツの信号を記録する工程と、
前記特定情報を出力して該特定情報に対応する関連情報の取得を行い、取得した前記関連情報を前記挿入コンテンツ毎に提示する処理を行う工程と、
参照挿入コンテンツを特定する参照特定情報と該参照挿入コンテンツに対する関連情報を関係付けて、前記参照挿入コンテンツ毎に保持する工程と、
挿入コンテンツを特定する特定情報が供給されたとき、該特定情報と前記参照特定情報とを比較して、前記挿入コンテンツと内容の等しい参照挿入コンテンツを検出し、該検出した参照挿入コンテンツに関連付けられている前記関連情報を前記特定情報の供給元に出力する工程とを有する
ことを特徴とする信号処理方法。
【請求項２０】
報奨の付与の設定がなされた前記参照挿入コンテンツに対する関連情報に報奨識別情報を含めるものとし、
前記関連情報に前記報奨識別情報が含まれているときには、前記関連情報を前記挿入コンテンツ毎に提示する際に、前記報奨の付与の設定がなされていることを判別可能に提示する
ことを特徴とする請求項１９記載の信号処理方法。
【請求項２１】
前記関連情報に前記報奨識別情報が含まれた挿入コンテンツの視聴履歴情報を生成して出力する工程と、
供給された前記視聴履歴情報が報奨付与要件を満たすとき、前記報奨付与信号を前記視聴履歴情報の供給元に出力する工程とを有する
ことを特徴とする請求項２０記載の信号処理方法。
【発明の詳細な説明】
【０００１】
【発明の属する技術分野】
この発明は、信号処理システムと受信装置と情報蓄積装置および信号処理方法に関する。詳しくは、受信した宣伝広告を記録するとともに、記録した宣伝広告を特定する特定情報を情報蓄積装置に供給する。また情報蓄積装置は、記録した宣伝広告に対応する関連情報を特定情報に基づいて検出して受信装置に供給することで、関連情報を宣伝広告毎に提示させるものである。
【０００２】
【従来の技術】
受信者選択コンテンツに受信者選択コンテンツと異なる１あるいは複数の挿入コンテンツが時分割的に設けられている信号、例えば受信者が選択する放送番組に１あるいは複数の宣伝広告が時分割的に設けられたテレビジョン放送の信号では、放送番組間に設けられた宣伝広告だけでなく、テレビジョン放送に連動したデータ放送等を使用することで、視聴者に宣伝広告を目立たせて効果を高めることが行われている。
【０００３】
また、テレビジョン放送の視聴者に双方向通信環境を提供すると共に、視聴者に負担を負わせることなく、インターネットより提供されるコンテンツを閲覧可能とするため、受信した番組にシンボルを合成して、このシンボルに対する指示が行われたときは、シンボルに対して記述されたＵＲＬを用いてコンテンツとスポンサーの宣伝広告の転送要求を行い、コンテンツサーバから受信した宣伝広告とコンテンツを出力することが行われている（例えば特許文献１）。
【０００４】
【特許文献１】
特開２００２−１９９３７５号公報
【０００５】
【発明が解決しようとする課題】
ところで、データ放送等を利用して視聴者に宣伝広告を目立たせるものとした場合、放送番組が録画されて、その後視聴されると、宣伝広告を連動させることができなくなってしまい、効果を高めることができない。また、インターネットを介してコンテンツサーバから宣伝広告や番組コンテンツを伝送するものとした場合、ネットワークの伝送帯域や伝送特性に応じたデータ量の宣伝広告を新たに制作してコンテンツサーバに蓄積させておく必要があり、宣伝広告費用の増大を招いてしまう。
【０００６】
そこで、この発明では、挿入コンテンツを設けることによって得られる効果を容易に高めることができる信号処理システムと受信装置と情報蓄積装置および信号処理方法を提供するものである。
【０００７】
【課題を解決するための手段】
この発明に係る信号処理システムは、受信者選択コンテンツに前記受信者選択コンテンツと異なる１あるいは複数の挿入コンテンツが時分割的に設けられている信号を受信し、前記受信者選択コンテンツあるいは前記挿入コンテンツの提示処理を行う受信装置と、関連情報を保持する情報蓄積装置とが、伝送路を介して接続された信号処理システムにおいて、前記受信装置は、前記挿入コンテンツの信号を検出して、該検出した信号の挿入コンテンツを特定する特定情報を挿入コンテンツ毎に生成する検出処理手段と、少なくとも前記検出した挿入コンテンツの信号を記録する記録手段と、前記特定情報を前記情報蓄積装置に供給して、該特定情報に対応する関連情報を前記情報蓄積装置から取得し、取得した前記関連情報を前記挿入コンテンツ毎に提示する処理を行う制御手段を有し、前記情報蓄積装置は、参照挿入コンテンツを特定する参照特定情報と該参照挿入コンテンツに対する関連情報を関係付けて、前記参照挿入コンテンツ毎に保持する情報蓄積手段と、前記参照特定情報と前記受信装置から供給された特定情報とを比較して、前記受信装置に記録されている挿入コンテンツと内容の等しい参照挿入コンテンツを検出し、該検出した参照挿入コンテンツに関連付けられている前記関連情報を前記受信装置に供給する応答処理手段とを有するものである。
【０００８】
また、この発明に係る受信装置は、受信者選択コンテンツに前記受信者選択コンテンツと異なる１あるいは複数の挿入コンテンツが時分割的に設けられている信号を受信し、前記受信者選択コンテンツあるいは前記挿入コンテンツの提示処理を行う受信装置において、前記挿入コンテンツの信号を検出して、該検出した信号の挿入コンテンツを特定する特定情報を挿入コンテンツ毎に生成する検出処理手段と、少なくとも前記検出した挿入コンテンツの信号を記録する記録手段と、前記特定情報を出力して該特定情報に対応する関連情報の取得を行い、取得した前記関連情報を前記挿入コンテンツ毎に提示する処理を行う制御手段を有するものである。
【０００９】
さらに、この発明に係る情報蓄積装置は、参照挿入コンテンツを特定する参照特定情報と該参照挿入コンテンツに対する関連情報を関係付けて、前記参照挿入コンテンツ毎に保持する情報蓄積手段と、挿入コンテンツを特定する特定情報が供給されたとき、該特定情報と前記参照特定情報とを比較して、前記挿入コンテンツと内容の等しい参照挿入コンテンツを検出し、該検出した参照挿入コンテンツに関連付けられている前記関連情報を前記特定情報の供給元に出力する応答処理手段とを有するものである。
【００１０】
また、この発明に係る信号処理方法は、受信者選択コンテンツに前記受信者選択コンテンツと異なる１あるいは複数の挿入コンテンツが時分割的に設けられている信号を受信する工程と、前記挿入コンテンツの信号を検出して、該検出した信号の挿入コンテンツを特定する特定情報を挿入コンテンツ毎に生成する工程と、少なくとも前記検出した挿入コンテンツの信号を記録する工程と、前記特定情報を出力して該特定情報に対応する関連情報の取得を行い、取得した前記関連情報を前記挿入コンテンツ毎に提示する処理を行う工程と、参照挿入コンテンツを特定する参照特定情報と該参照挿入コンテンツに対する関連情報を関係付けて、前記参照挿入コンテンツ毎に保持する工程と、挿入コンテンツを特定する特定情報が供給されたとき、該特定情報と前記参照特定情報とを比較して、前記挿入コンテンツと内容の等しい参照挿入コンテンツを検出し、該検出した参照挿入コンテンツに関連付けられている前記関連情報を前記特定情報の供給元に出力する工程とを有するものである。
【００１１】
この発明においては、受信装置によって、例えば放送番組に１つあるいは複数の宣伝広告が時分割的に設けられている信号を受信して、この受信した信号から宣伝広告の信号を検出して、検出した宣伝広告を特定する特定情報が宣伝広告毎に生成される。また、少なくとも検出した宣伝広告の信号が記録される。さらに、記録された宣伝広告を特定する特定情報を出力して特定情報に対応する関連情報の取得が行われる。情報蓄積装置では、参照挿入コンテンツを特定する参照特定情報と参照挿入コンテンツに対する関連情報が関係付けられて保持されており、宣伝広告の特定情報が供給されたときには、この特定情報と参照特定情報とを比較して、宣伝広告と内容の等しい参照挿入コンテンツを検出し、検出した参照挿入コンテンツに関連付けられている関連情報が特定情報の供給元である受信装置に出力される。受信装置では、この関連情報を宣伝広告毎に提示する処理が行われる。また、関連情報が提示された宣伝広告において、何れかの宣伝広告が選択されたとき、選択された宣伝広告の信号が読み出されて宣伝広告の提示処理が行われる。
【００１２】
また、受信装置では、関連情報に報奨の付与の設定がなされたことを示す報奨識別情報が含まれているとき、関連情報を宣伝広告毎に提示する際に、報奨の付与の設定がなされていることを判別可能に提示する。
【００１３】
さらに、受信装置では、関連情報に報奨識別情報が含まれた宣伝広告の視聴履歴情報が生成されて情報蓄積装置に供給され、情報蓄積装置では、供給された視聴履歴情報が報奨付与要件を満たすとき、報奨付与信号が受信装置に供給されて、受信装置に設けられた可搬型記憶手段に記憶される。
【００１４】
また、情報蓄積装置から受信装置に対して、報奨の付与の予定を示す告知情報や、報奨の付与の設定がなされた宣伝広告の送信予定情報を含む記録予約情報が供給されて、受信装置では告知情報の提示処理や、記録予約情報を用いて報奨の付与の設定がなされた宣伝広告の記録が行われる。
【００１５】
【発明の実施の形態】
以下、図を参照しながら、この発明の実施の一形態について説明する。図１は、信号処理システムの全体構成を示している。
【００１６】
各広告主は、提供する商品またはサービスに係わる宣伝広告を行うため、商品またはサービスに関する広告信号ＤＣＭを生成して、この広告信号ＤＣＭを端末装置１１から放送局の放送装置２１に供給する。放送装置２１は、受信者選択コンテンツ、例えば受信者が視聴の選択を行う放送番組と、受信者選択コンテンツと異なる１あるいは複数の挿入コンテンツ、例えば１あるいは複数の宣伝広告を、時分割的に設けて放送信号として送信する。
【００１７】
また、各広告主は、端末装置１１から放送装置２１に供給した広告信号ＤＣＭを、サーバ事業者のサーバ４１に対して、参照コンテンツの信号（以下「参照広告信号」という）ＤＣＭｒとして供給する。また、参照広告信号ＤＣＭｒに対応した関連情報もサーバ４１に供給する。関連情報は、例えば参照広告信号ＤＣＭｒによって行われる宣伝広告の商品名やサービス名、広告主、宣伝広告の視聴に対して報奨が設けられていることを示す報奨識別情報、報奨の内容や報奨を受けるための要件などを示す報奨関連情報等を用いて構成する。なお、広告主は、放送局に対して宣伝広告の送信に対する対価の支払いを行う。また、広告主は、サーバ事業者に対して、サーバ４１の利用に対する対価の支払いを行う。
【００１８】
各視聴者は、受信装置３１を用いて放送信号を受信し、所望する番組や宣伝広告の信号を記録再生装置に記録する。その後、記録再生装置に記録された信号を再生して、放送番組や宣伝広告の提示を行う。あるいは、放送信号の受信時に放送番組や宣伝広告の提示を行うとともに、記録再生装置には宣伝広告の広告信号を記録して、その後、記録再生装置に記録された広告信号を再生して、宣伝広告の提示を行う。
【００１９】
受信装置３１は、宣伝広告を特定する特定情報ＲＰｃや宣伝広告の視聴履歴情報ＲＰｒを作成してサーバ４１に通知する。特定情報ＲＰｃは、内容が等しい宣伝広告を判別可能とするための情報である。この特定情報ＲＰｃをサーバ４１に通知するとともに、サーバ４１から供給された応答信号Ｄｓｃを記録再生装置等に記録する。また、宣伝広告の視聴履歴情報ＲＰｒを生成してサーバ４１に通知し、サーバ４１から供給された報奨付与信号Ｄｉｎｃを可搬型の記憶手段３５に蓄積する。この報奨付与信号Ｄｉｎｃは、例えば視聴した宣伝広告の商品購入またはサービスの利用の際に割引を受けられる報奨、あるいは景品の提供が受けられる報奨、商品等を無償で得ることができる報奨等を受ける権利を示す信号である。
【００２０】
サーバ４１は、端末装置１１から供給された参照広告信号ＤＣＭｒに基づく宣伝広告の宣伝広告を特定する参照特定情報ＲＰｃｒと、関連情報を関係付けてデータベースに登録する。また、報奨の予告等を受信装置３１で行わせる場合には、この報奨の予告を含む告知情報を広告主の端末装置１１からサーバ４１に供給して、データベースに登録する。また、例えば端末装置１１が放送装置２１から宣伝広告が放送される日付や時刻、チャネル番号、放送局等の送信管理情報を入手してサーバ４１に供給して、あるいはサーバ４１が放送装置２１から送信管理情報を入手して、この送信管理情報を用いて参照特定情報ＲＰｃｒや関連情報を生成しても良い。
【００２１】
このサーバ４１は、受信装置３１から供給された特定情報ＲＰｃとデータベースの参照特定情報ＲＰｃｒを比較して、比較結果から受信装置３１に記録されている宣伝広告と内容の等しい宣伝広告に関連付けられている関連情報を検出する。さらに、検出された関連情報を応答信号Ｄｓｃとして受信装置３１に応答する。
【００２２】
また、視聴履歴情報ＲＰｒが通知されたときは、視聴履歴情報ＲＰｒで示された内容が報奨付与要件を満たすか否かを判別して、報奨付与要件を満たすときには報奨を得るための報奨付与信号Ｄｉｎｃを受信装置３１に応答する。
【００２３】
なお、図１では、説明を簡単とするため、端末装置１１や放送装置２１および受信装置３１をそれそれ一つ示しているが、これらは広告主や放送局および視聴者の数に応じて設けられるものである。
【００２４】
図２は、受信装置３１の構成を示している。アンテナ３１０によって受信された放送信号ＳＲＦは、チューナ３１１に供給される。チューナ３１１は、放送信号ＳＲＦから所望のチャネルを選局して、選局したチャネルの受信信号ＳＲＣを復調部３１２に供給する。また、選局したチャネルを示すチャネル情報信号ＣＨをＣＭ検出処理部３１４に供給する。
【００２５】
復調部３１２は、受信信号ＳＲＣの復調処理を行い、映像信号と音声信号を生成する。さらに生成した映像信号と音声信号をディジタルの映像信号ＤＶａと音声信号ＤＡａに変換して、エンコーダ３１３とＣＭ検出処理部３１４に供給する。また、音声がモノラルモード、ステレオモード、音声多重モードのいずれであるかを判別して、この判別結果を示す放送モード信号ＭＤをＣＭ検出処理部３１４に供給する。
【００２６】
エンコーダ３１３は、復調部３１２から供給された映像信号ＤＶａと音声信号ＤＡａの符号化処理、例えばＭＰＥＧ（Ｍｏｖｉｎｇ  Ｐｉｃｔｕｒｅ  Ｅｘｐｅｒｔｓ  Ｇｒｏｕｐ）方式の符号化処理を行って符号化信号ＤＭａを生成する。この符号化信号ＤＭａは、バス３１６およびＨＤＤインタフェース３１７を介してハード・ディスク装置３１８に書き込まれる。
【００２７】
ＣＭ検出処理部３１４は、映像信号ＤＶａ、音声信号ＤＡａ、チャネル情報信号ＣＨ、放送モード信号ＭＤ、時計部３１５から供給された時刻信号ＴＭを用いて宣伝広告の検出を行う。宣伝広告の検出は、例えば特開２００１−３１３９６０号公報で示されているように、ほぼ全ての宣伝広告の広告信号が満たす条件（必須条件）、必須条件と比べて例外は多く存在するものの、広告の性質上、多くの広告信号が満たすか若しくは一定の傾向を示す条件（付加条件）、テレビジョン放送においては、同時に同じチャンネルで複数の映像及び音声が放送されることは物理的にありえないという特徴に基づいた条件（論理条件）を合理的かつ効果的に利用することにより、個々の宣伝広告を検出する。
【００２８】
さらに、ＣＭ検出処理部３１４は、検出された宣伝広告毎に、宣伝広告を特定する特定情報ＲＰｃを生成する。例えば、宣伝広告の広告信号を記録したときの日時、チャネル番号、放送局等を特定情報ＲＰｃとして用いる。また、特開２００１−３１３９６０号公報で示されている特徴抽出を行って、特定情報ＲＰｃを生成するものとしてもよい。すなわち、広告信号毎に、フレーム内の音声信号の平均二乗振幅を広告期間の全フレームについてまとめたベクトル、フレーム内の音声信号の平均スペクトルを広告期間の全フレームについてまとめたベクトル、フレームにおける線形予測係数を広告期間の全フレームについてまとめたベクトル、フレーム内の映像信号の輝度ヒストグラムや色ヒストグラムをそれぞれ広告期間の全フレームについてまとめたベクトル、フレーム内の映像信号の平均輝度を広告期間の全フレームについてまとめたベクトル、隣接する映像フレームの画素間差分エネルギーを広告期間の全フレームについてまとめたベクトル、隣接映像フレーム間の画素差分エネルギーが所定の閾値を超えるフレーム数を広告期間の全フレームについてまとめたベクトル等を求める。次に、これらの一部または全部を特徴量として特徴ベクトルを生成し、この特徴ベクトルを特定情報ＲＰｃとする。
【００２９】
宣伝広告に対して生成された特定情報ＲＰｃは、対応する宣伝広告の広告信号を用いて生成された符号化信号と関係付けて、ハード・ディスク装置３１８に宣伝広告毎に書き込む。また、ハード・ディスク装置３１８から宣伝広告毎に符号化信号の読み出しを行い、宣伝広告を個々に提示可能とする。なお、ハード・ディスク装置３１８には、サーバ４１から供給された応答信号Ｄｓｃ等も書き込まれる。
【００３０】
デコーダ３２０は、ハード・ディスク装置３１８から読み出された符号化信号ＤＭｂの伸長処理を行い、得られた映像信号ＤＶｂをオンスクリーン表示処理部３２１に供給する。また、伸長処理によって得られた音声信号を出力音声信号ＤＡｏｕｔとして受信装置３１から出力する。
【００３１】
オンスクリーン表示処理部３２１は、制御部３３０からの制御信号ＨＣに基づき、例えば所定のＧＵＩ表示等を行うための情報表示信号を生成する。この情報表示信号を、デコーダ３２０から供給された映像信号ＤＶｂに重畳して、出力映像信号ＤＶｏｕｔとして受信装置３１から出力する。
【００３２】
ネットワークインタフェース３２３は、ネットワークを介してサーバ４１等とデータ通信を行うためのインタフェースであり、バス３１６に接続される。
【００３３】
リモコン受光部３２６は、視聴者のキー操作に応じてリモートコントロール装置（リモコン送信機）３４から出力された光信号を受光して、この光信号に応じた操作信号ＰＳを生成し、バス３２５を介して制御部３３０に供給する。
【００３４】
ＲＡＭ３２７およびＲＯＭ３２８は、制御部３３０の処理に用いられるプログラムおよびデータを記憶する。リーダ／ライタ３２９は、可搬型メモリ３５に対して報奨付与信号Ｄｉｎｃ等の書き込みを非接触方式あるいは接触方式で行う。例えば、特開２００１−１７５８２０号公報に示されているリーダライタ装置と情報記録再生装置のように、リーダ／ライタ３２９と可搬型メモリ３５を構成して、非接触方式で報奨付与信号Ｄｉｎｃ等の書き込みを行う。
【００３５】
制御部３３０は、バス３１６，３２５を介して各部の動作を制御して、放送番組や宣伝広告の記録再生、およびサーバ４１との通信や、サーバ４１からの応答信号Ｄｓｃによって示された種々の情報に基づいた制御信号ＨＣの生成等を行い、サーバ４１からの種々の情報の提示や報奨を利用可能として宣伝広告の効果を高める処理を行う。
【００３６】
なお、図２では、宣伝広告の検出および特定情報ＲＰｃの生成を、符号化信号ＤＭａの記録と同時に行う場合の構成を示したが、宣伝広告の検出および特定情報ＲＰｃの生成は、符号化信号ＤＭａの記録後に行うものとしても良い。この場合、デコーダ３２０から出力される映像信号ＤＶｂや出力音声信号ＤＡｏｕｔをＣＭ検出処理部３１４に供給する。また、符号化信号ＤＭａの記録時にチャネル情報信号ＣＨ，放送モード信号ＭＤ，時刻信号ＴＭを関係付けてハード・ディスク装置３１８に記録して、特定情報ＲＰｃの生成時に、ＣＭ検出処理部３１４に供給される映像信号ＤＶｂや出力音声信号ＤＡｏｕｔに関係付けられたチャネル情報信号ＣＨ等をハード・ディスク装置３１８からＣＭ検出処理部３１４に供給する。このようにして、映像や音声の信号記録後であっても特定情報ＲＰｃの生成を行うことができる。このため、例えば特定情報ＲＰｃとして高精度の情報を生成することにより、符号化信号ＤＭａの記録と同時に特定情報ＲＰｃの生成を行うことができない場合であっても、映像や音声の符号化信号記録後に高精度な特定情報ＲＰｃを生成することで、内容の等しい宣伝広告の検出が可能となる。例えばＣＭ検出処理部３１４の機能をソフトウェアで実現したとき、符号化信号ＤＭａの記録と同時に特定情報ＲＰｃの生成を行うことができなくとも、その後、記録されている信号を読み出して特定情報ＲＰｃを生成できる。
【００３７】
また、図２に示す受信装置では、エンコーダ３１３とデコーダ３２０を設けて、映像信号と音声信号の記録再生を行うものとしたが、映像信号や音声信号を符号化することなくハード・ディスク装置３１８に記録するものとすれば、エンコーダ３１３とデコーダ３２０を設ける必要がないことは勿論である。
【００３８】
図３は、サーバ４１の機能ブロックを示している。サーバ４１の輻輳制御管理機能４１１は、ネットワークを経由して受信装置３１との通信を行う機能である。顧客管理機能４１２は、後述するように、サーバ４１が各受信装置３１に対して行うサービス等を広告主毎に管理する機能である。ＩＰゲートウェイ機能４１３は、ネットワークを経由して端末装置１１との通信を行う機能である。
【００３９】
応答処理手段であるアプリケーション管理機能４１４は、広告主から供給された参照広告信号ＤＣＭｒや関連情報を情報蓄積手段であるデータベース４１５に登録したり、受信装置３１から供給された特定情報ＲＰｃを用いて、この特定情報ＲＰｃで示された宣伝広告に関係付けられている関連情報をデータベース４１５から検出して応答する処理を行う機能である。ここで、特定情報ＲＰｃとして、宣伝広告の広告信号を記録したときの日付や時刻、チャネル番号、放送局等が用いられているときは、端末装置１１あるいは放送装置２１からの送信管理情報を参照特定情報ＲＰｃｒとして、関連情報と対応させてデータベース４１５に登録する。また、特定情報ＲＰｃとして、特徴ベクトルが用いられているときは、広告主から供給された参照広告信号ＤＣＭｒに基づいて特徴ベクトルを抽出し、この特徴ベクトルを参照特定情報ＲＰｃｒとして関連情報と対応させてデータベース４１５に登録する。
【００４０】
料金管理機能４１６は、顧客管理機能４１２によって管理した情報に基づき、広告主毎にサービスの提供に対する対価を算出して請求する機能である。
【００４１】
次に、動作について説明する。受信装置３１は、放送番組の記録を行ったとき、放送番組とともに記録された宣伝広告から、報奨の設定がなされた宣伝広告の検出を行う。図４は、報奨の付与の設定がなされた宣伝広告の検出処理動作を示すフローチャートである。
【００４２】
ステップＳＴ１では、特定情報ＲＰｃをサーバ４１に供給して、応答信号Ｄｓｃの問合せを行う。
【００４３】
図５は、応答信号Ｄｓｃの問合せが行われたときのサーバ４１の応答動作を示すフローチャートである。ステップＳＴ２１では、受信装置３１から問合せが行われた否かを判別する。ここで、受信装置３１から特定情報ＲＰｃの供給がないときは、応答動作を終了する。また、受信装置３１から特定情報ＲＰｃが供給されたときは、問合せが行われたものとしてステップＳＴ２２に進む。
【００４４】
ステップＳＴ２２では、問合せに対して関連情報の検索を行う。すなわち、特定情報ＲＰｃで示された宣伝広告に関係付けられている関連情報を検索する。ここで、特定情報ＲＰｃとして、上述したように宣伝広告の広告信号を記録したときの日付や時刻等が用いられているときは、記録したときの日付や時刻を宣伝広告の放送される日付や時刻として、参照特定情報ＲＰｃｒが一致する宣伝広告を検出し、この検出された宣伝広告に対応する関連情報を、問合せに対する関連情報とする。また、特徴ベクトルが用いられているときは、特開２００１−３１３９６０号公報に示されているように特徴比較を行い、特徴ベクトルが一致する宣伝広告を検出し、この検出された宣伝広告に対応する関連情報を、問合せに対する関連情報とする。
【００４５】
ステップＳＴ２３では、関連情報が検出されたか否かを判別して、関連情報が検出されたときにはステップＳＴ２４に進む。また、関連情報が検出されないときにはステップＳＴ２５に進む。
【００４６】
ステップＳＴ２４では、検索された関連情報を応答信号Ｄｓｃに登録してステップＳＴ２６に進む。ステップＳＴ２５では、該当する関連情報が見つからないことを示す非該当情報を応答信号Ｄｓｃに登録してステップＳＴ２６に進む。
【００４７】
ステップＳＴ２６では、サーバ４１に告知情報が記憶されているか否かを判別する。ここで、告知情報が記憶されているときにはステップＳＴ２７に進み、告知情報を応答信号Ｄｓｃに登録してステップＳＴ２８に進む。また告知情報が記憶されていないときにはステップＳＴ２８に進む。
【００４８】
ステップＳＴ２８では、応答信号Ｄｓｃの問合せを行った受信装置３１に対して、供給された特定情報ＲＰｃ等に応じた応答信号Ｄｓｃを供給する。例えば、関連情報と告知情報と非該当情報のいずれか１つを応答信号Ｄｓｃとして、あるいは関連情報と告知情報を応答信号Ｄｓｃとして、または、告知情報と非該当情報を応答信号Ｄｓｃとして受信装置３１に供給する。
【００４９】
図４のステップＳＴ２では、サーバ４１から応答がなされた否かを判別する。ここで、サーバ４１から応答信号Ｄｓｃが供給されたときは、応答がなされたものとしてステップＳＴ３に進む。また、サーバ４１から応答信号Ｄｓｃが供給されないときは、応答がないものとしてステップＳＴ２に戻る。
【００５０】
ステップＳＴ３では、応答信号Ｄｓｃに関連情報が含まれているか否かを判別する。ここで、関連情報が含まれているときは、ステップＳＴ４に進む。また、関連情報が含まれていないときは、ステップＳＴ６に進む。
【００５１】
ステップＳＴ４では、宣伝広告の記録位置情報（ハード・ディスク装置３１８における宣伝広告毎の記録開始位置と記録終了位置）を抽出してステップＳＴ５に進む。
【００５２】
ステップＳＴ５では、記録されている宣伝広告の一覧表示や報奨の設定が行われている宣伝広告を視聴者に判別可能とする表示等を行うための情報表示信号をオンスクリーン表示処理部３２１で生成して、この情報表示信号を用いた出力映像信号ＤＶｏｕｔをオンスクリーン表示処理部３２１から出力させる。ここで、情報表示信号の生成は、関連情報に基づいて生成された制御信号ＨＣを制御部３３０からオンスクリーン表示処理部３２１に供給することで行う。
【００５３】
図６は、出力映像信号ＤＶｏｕｔに基づく表示画像の一例を示している。画面上の表示領域ａ１は、一覧表示する情報のジャンルが示されており、例えばリモコン送信機を操作して「広告」を選択したときには、ハード・ディスク装置３１８に記録されている宣伝広告に対応する関連情報を利用して、広告一覧が表示領域ａ２に表示される。なお、図６では、広告一覧として、記録日や広告主および商品名を表示する場合を示している。この広告一覧は、表示画像を上下方向や左右方向にスクロールさせて、表示領域ａ２で表示できる情報よりも多くの情報を表示できるようになされている。ここで、広告一覧からいずれかの宣伝広告を選択したときには、選択された宣伝広告の記録位置情報を利用して、ハード・ディスク装置３１８から符号化信号を読み出してデコーダ３２０で復号化する。このデコーダ３２０で得られた映像信号ＤＶｂを用いることで、選択された宣伝広告の再生画像を、図７に示す表示領域ａ３に表示する。
【００５４】
また、関連情報に報奨識別情報が含まれているときは、報奨の設定がなされている宣伝広告であることを判別可能に表示する。例えば、文字の形状や表示サイズを変更したり、表示色の変更、反転表示、図６に示すように識別マーク（報奨設定マーク）を表示する。このように、報奨の設定がなされていることを判別可能に表示することで、視聴者は例えば記録されている宣伝広告の一覧を表示させたとき、いずれの宣伝広告に報奨の設定がなされているか容易に判別できる。また、識別マークとして報奨の内容を象徴的にデザインした図柄を用いれば、報奨の内容を視覚的に判断することが可能となり、希望する報奨がいずれの宣伝広告で得られるか、容易に視聴者が把握できる。
【００５５】
さらに、報奨の設定がなされている宣伝広告を選択したときには、報奨の内容や報奨を受けるための要件等を表示するものとしてもよい。このように、報奨の内容や報奨を受けるための要件等を表示することで、視聴者はどのようなことを行えばどのような報奨を受けることができるか容易に確認できる。
【００５６】
ステップＳＴ６では、応答信号Ｄｓｃに告知情報が含まれているか否かを判別する。ここで、告知情報が含まれているときはステップＳＴ７に進む。また、告知情報が含まれいないときにはステップＳＴ９に進む。
【００５７】
ステップＳＴ７では、サーバ４１から供給された告知情報を例えばハード・ディスク装置３１８あるいはＲＡＭ３２７等に記憶させて、ステップＳＴ８に進む。ステップＳＴ８では、例えば視聴者によって告知情報の表示操作が行われたとき、記憶されている告知情報を読み出して、この告知情報を表示するための情報表示信号をオンスクリーン表示処理部３２１で生成して、この情報表示信号を用いた出力映像信号ＤＶｏｕｔをオンスクリーン表示処理部３２１から出力させる。告知情報の表示操作では、例えば表示領域ａ１のジャンルに「告知表示」を追加して、この「告知表示」が選択されたときに告知表示を行う。あるいは、広告一覧に「告知表示」の項目を設けて、この「告知表示」が選択されたときに告知表示を行うものとする。なお、図８は告知情報を表示した表示画像の一例を示している。
【００５８】
ステップＳＴ９では、応答信号Ｄｓｃに非該当情報が含まれているか否かを判別する。ここで、非該当情報が含まれているときはステップＳＴ１０に進む。また、非該当情報が含まれていないときには処理を終了する。
【００５９】
ステップＳＴ１０では、ジャンル選択で「広告」が選択されたとき、表示領域ａ２に宣伝広告に関する表示情報がないことを示す情報表示信号をオンスクリーン表示処理部３２１で生成して、この情報表示信号を用いた出力映像信号ＤＶｏｕｔを出力させる。
【００６０】
このようにして、記録されている宣伝広告に関する関連情報を表示させることで、視聴者は報奨の設定が行われている宣伝広告を容易に判別することができる。
【００６１】
受信装置３１は、ハード・ディスク装置３１８に記録されている報奨の設定がなされた宣伝広告毎の視聴履歴情報ＲＰｒを生成して、予め定められた期間内のいずれかの時間あるいは宣伝広告の視聴毎にサーバ４１に通知する。
【００６２】
例えば、報奨の設定がなされている宣伝広告毎に、宣伝広告の再生日時や時間，再生回数を示す視聴履歴情報ＲＰｒを生成してサーバ４１に通知する。ここで、広告主が設定した期間中に宣伝広告を所定回数視聴することが、報奨付与要件とされているときには、報奨付与要件を満たしたときに、視聴履歴情報ＲＰｒを生成してサーバ４１に通知する。この場合、サーバ４１に対して不要な視聴履歴情報ＲＰｒの通知がなされることを防止できる。また、視聴履歴に応じて報奨が得られる場合には、広告主が設定した期間の最後あるいは視聴者の通知要求に応じて、視聴履歴情報ＲＰｒをサーバ４１に通知する。この場合、サーバ４１に対する視聴履歴情報ＲＰｒの通知を最適化できる。
【００６３】
サーバ４１は、視聴履歴情報ＲＰｒに基づき、宣伝広告毎に報奨付与要件を満たしているか否かを判別して、報奨付与要件を満たしているとき、視聴履歴情報ＲＰｒの供給元である受信装置３１に対して報奨付与信号Ｄｉｎｃを自動的に供給する。受信装置３１は、供給された報奨付与信号Ｄｉｎｃを可搬型メモリ３５に記録する。また、サーバ４１は、報奨付与要件を満たしていないとき、視聴履歴情報ＲＰｒの供給元である受信装置３１に対して報奨付与要件を満たしていないことを示す応答信号Ｄｓｃを自動的に供給する。
【００６４】
ここで、サーバ４１に対しての視聴履歴情報ＲＰｒの供給を自動的に行うものとすれば、視聴者が報奨付与信号Ｄｉｎｃの要求操作等を行わなくとも、報奨付与要件を満たしたときに自動的に報奨付与信号Ｄｉｎｃを受け取ることができる。この報奨付与信号Ｄｉｎｃは、可搬型メモリ３５に記録されるので、商品購入時に可搬型メモリ３５を販売者側に示すことで、記録されている報奨付与信号Ｄｉｎｃに応じた報奨を容易に受けることができる。
【００６５】
ところで、上述の実施の形態は、既に記録された宣伝広告に対して、報奨の設定がなされていることを容易に判別可能とするものであり、宣伝広告が記録されていないと、視聴者に対して報奨の設定がなされていることを知らせることができない。また、宣伝広告は、受信者が視聴の選択を行う放送番組のように、放送予定が視聴者に予め通知されているものでないことから、告知情報で報奨の予告を行っても、この報奨の設定がなされた宣伝広告を視聴者が選択して記録することは容易でない。このため、サーバ４１のアプリケーション管理機能４１４は、報奨の設定がなされている宣伝広告を容易に記録できるように、記録予約情報を生成する。ここで、受信装置３１は例えば定期的に記録予約情報の要求を行い、サーバ４１は、応答信号Ｄｓｃによって記録予約情報を要求の行った受信装置３１に通知する。この記録予約情報は、例えば報奨の設定がなされている宣伝広告が挿入された番組を録画予約するための情報であり、録画する番組のチャネル番号や放送日時および放送時間あるいは番組コード等で構成される。なお、記録予約情報は、報奨の設定がなされている宣伝広告の放送日時および放送時間とチャネル番号等で構成するものとしても良い。また、記録予約情報に番組名や広告商品および広告主、報奨の内容等を含めるものとすれば、記録予約情報を用いて記録動作を行うか否か、容易に視聴者が判別できる。
【００６６】
図９は、受信装置３１において、記録予約情報が供給されたときの動作を示すフローチャートである。ステップＳＴ３１では、応答信号Ｄｓｃに記録予約組情報が含まれているか否かを判別する。ここで、記録予約情報が含まれているときはステップＳＴ３２に進む。また、記録予約情報が含まれていないときには処理を終了する。
【００６７】
ステップＳＴ３２では、記録予約情報に基づいた記録動作を行うか否か、視聴者に選択させる。例えば、番組名や放送日時、チャネル番号、広告商品や広告主、報奨の内容等を提示させて、番組の録画を行うか否か視聴者に選択させる。ここで、録画を行うときにはステップＳＴ３３に進む。また、録画を行わないときには処理を終了する。
【００６８】
ステップＳＴ３３では、記録予約情報を用いて記録予約の設定を行う。すなわち、記録予約情報で示された放送日時やチャネル番号を用いて予約設定を行い、処理を終了する。
【００６９】
このようにして記録予約情報をサーバ４１から受信装置３１に供給することで、広告主は、報奨の設定がなされている宣伝広告を受信装置３１で容易に記録させることができ、報奨を有効に利用して宣伝広告効果を更に高めることができる。また、視聴者は所望の報奨の設定がなされている宣伝広告を容易に記録できるので、その後、報奨付与要件を満たすように宣伝広告を視聴することで、簡単に報奨を得ることができる。
【００７０】
また、サーバ４１の顧客管理機能４１２は、受信装置３１からの特定情報ＲＰｃや視聴履歴情報ＲＰｒに対する応答信号Ｄｓｃや報奨付与信号Ｄｉｎｃの供給、記録予約情報の供給等のサービスを宣伝広告毎に管理する。また料金管理機能４１６は、顧客管理機能４１２で管理した情報に基づき、広告主毎にサービスの提供に関する対価を算出する。このため、サーバ事業者は、宣伝広告の広告主に対して、実施したサービスに対する対価の要求を行うことができる。
【００７１】
このように、上述の実施の形態によれば、宣伝広告に対して報奨の付与の設定を行ったとき、視聴者は報奨の付与の設定がなされている宣伝広告であることを容易に判別できるので、宣伝広告の効果を容易に高めることができる。また、視聴者に対して報奨の付与を容易に行うことができる。また、記録予約情報を視聴者側に供給することで、宣伝広告の視聴の機会を増やすことが可能となり、宣伝広告の効果を更に高めることができるとともに、視聴者は報奨の取得を容易に行うことができる。
【００７２】
【発明の効果】
この発明によれば、受信装置によって、受信者選択コンテンツと受信者選択コンテンツと異なる１あるいは複数の挿入コンテンツが時分割的に設けられている信号が受信されて、この受信した信号から挿入コンテンツの信号が検出されて、この検出された信号の挿入コンテンツを特定する特定情報が挿入コンテンツ毎に生成される。また、少なくとも検出した挿入コンテンツの信号が記録される。さらに、記録された挿入コンテンツを特定する特定情報を出力して特定情報に対応する関連情報の取得が行われる。情報蓄積装置では、参照挿入コンテンツを特定する参照特定情報と参照挿入コンテンツに対する関連情報が関係付けられて保持されており、挿入コンテンツの特定情報が供給されたときには、この特定情報と参照特定情報とを比較して、挿入コンテンツと内容の等しい参照挿入コンテンツを検出し、検出した参照挿入コンテンツに関連付けられている関連情報が特定情報の供給元である受信装置に出力される。受信装置では、この関連情報を宣伝広告毎に提示する処理が行われる。このため、関連情報に基づき、記録されている挿入コンテンツを容易に判別することができる。また、関連情報が提示された挿入コンテンツから何れかを選択したとき、選択した挿入コンテンツの信号を読み出して挿入コンテンツの提示処理を行うことで、挿入コンテンツの効力を容易に高めることができる。
【００７３】
また受信装置では、関連情報に報奨の付与の設定がなされたことを示す報奨識別情報が含まれているときは、関連情報を挿入コンテンツ毎に提示する際に、報奨の付与の設定がなされていることを判別可能に提示する。このため、視聴者の関心を高めることが可能となる、報奨の付与の設定がなされた挿入コンテンツの提示回数を容易に増やすことができる。
【００７４】
さらに、関連情報に報奨識別情報が含まれた宣伝広告の視聴履歴情報が受信装置で生成されて情報蓄積装置に供給されたとき、供給された視聴履歴情報が報奨付与要件を満たすと情報蓄積装置から受信装置に対して報奨付与信号が供給されて、可搬型記憶手段に記憶される。このため、視聴者は報奨を容易に受けとることができる。
【００７５】
また情報蓄積装置から受信装置に対して、報奨の付与の予定を示す告知情報や、報奨の付与の設定がなされた挿入コンテンツの送信予定情報を含む記録予約情報が供給されて、受信装置では告知情報の提示処理や、記録予約情報を用いて挿入コンテンツの記録が行われる。このため、報奨の付与の設定がなされる挿入コンテンツを予め確認できるとともに、所望の報奨の付与が設定された挿入コンテンツを容易に記録できる。
【図面の簡単な説明】
【図１】信号処理システムの全体構成を示す図である。
【図２】受信装置の構成を示す図である。
【図３】サーバの機能ブロックを示す図である。
【図４】報奨の付与の設定がなされた宣伝広告の検出処理動作を示すフローチャートである。
【図５】サーバの応答動作を示すフローチャートである。
【図６】表示画像の一例を示す図である。
【図７】宣伝広告を表示した画像の一例を示す図である。
【図８】告知情報を表示した画像の一例を示す図である。
【図９】記録予約情報が供給されたときの動作を示すフローチャートである。
【符号の説明】
１１・・・端末装置、２１・・・放送装置、３１・・・受信装置、３４・・・リモートコントロール装置、３５・・・可搬型メモリ、４１・・・サーバ、３１０・・・アンテナ、３１１・・・チューナ、３１２・・・復調部、３１３・・・エンコーダ、３１４・・・ＣＭ検出処理部、３１５・・・時計部、３１６，３２５・・・バス、３１７・・・ＨＤＤインタフェース、３１８・・・ハード・ディスク装置（ＨＤＤ）、３２０・・・デコーダ、３２１・・・オンスクリーン表示処理部、３２３・・・ネットワークインタフェース、３２６・・・リモコン受光部、３２９・・・リーダ／ライタ、３３０・・・制御部、４１１・・・輻輳制御管理機能、４１２・・・顧客管理機能、４１３・・・ＩＰゲートウェイ機能、４１４・・・アプリケーション管理機能、４１５・・・データベース、４１６・・・料金管理機能
【図１】
2004336653.tif 000003
【図２】
2004336653.tif 000004
【図３】
2004336653.tif 000005
【図４】
2004336653.tif 000006
【図５】
2004336653.tif 000007
【図６】
2004336653.tif 000008
【図７】
2004336653.tif 000009
【図８】
2004336653.tif 000010
【図９】
2004336653.tif 000011